(57)【要約】【課題】リテーナが仮係止位置にあることを確実に検知する。【解決手段】分割コネクタは、収容部１２を有するハウジング１０と、収容部１２に挿入可能なサブコネクタ２０と、サブコネクタ２０に挿入される端子金具２３と、サブコネクタ２０に取り付けられたリテーナ３０と、収容部１２の内面に形成され、収容部１２に対するサブコネクタ２０の挿入方向に沿って形成されたガイド凹部１４Ｌ，１４Ｒと、サブコネクタ２０の外面に形成され、収容部１２への挿入過程でガイド凹部１４Ｌ，１４Ｒに嵌合されるガイド凸部２９Ｌ，２９Ｒと、リテーナ３０の外面に形成され、リテーナ３０が仮係止位置にあるときにはガイド凹部１４Ｌ，１４Ｒと嵌合不能であり、リテーナ３０が本係止位置にあるときにのみガイド凹部１４Ｌ，１４Ｒと嵌合可能な検知凸部３４Ｌ，３４Ｒとを備える。【選択図】図９
2018032570.tif 000002
【特許請求の範囲】
【請求項１】
収容部を有するハウジングと、
前記収容部に挿入可能なサブコネクタと、
前記サブコネクタに挿入される端子金具と、
前記サブコネクタに取り付けられ、仮係止位置と本係止位置との間で前記端子金具の挿入方向と交差する方向へスライド可能であり、仮係止位置では前記端子金具の挿入を許容し、本係止位置では挿入された前記端子金具に係止して前記端子金具を抜止めするリテーナと、
前記収容部の内面に形成され、前記収容部に対する前記サブコネクタの挿入方向と平行をなすガイド凹部と、
前記サブコネクタの外面に形成され、前記ガイド凹部と嵌合可能なガイド凸部と、
前記リテーナの外面に形成され、前記リテーナが仮係止位置にあるときには前記ガイド凹部と嵌合不能であり、前記リテーナが本係止位置にあるときにのみ前記ガイド凹部と嵌合可能な検知凸部とを備えていることを特徴とする分割コネクタ。
【請求項２】
前記検知凸部は、前記リテーナが本係止位置のときに前記ガイド凸部と一直線状に並ぶように配されていることを特徴とする請求項１記載の分割コネクタ。
【請求項３】
前記ガイド凸部と前記検知凸部のうちの一方は、前記サブコネクタが前記収容部に対し挿入方向と平行な軸に関して左右反転した向きで挿入されようとしたときに、前記収容部の開口縁部と干渉する形態であることを特徴とする請求項１又は請求項２記載の分割コネクタ。
【請求項４】
前記ガイド凹部、前記ガイド凸部及び前記検知凸部が左右両側に設けられ、前記ガイド凹部、前記ガイド凸部及び前記検知凸部の形状と寸法が左右で異なっていることを特徴とする請求項１ないし請求項３のいずれか１項に記載の分割コネクタ。
【発明の詳細な説明】
【技術分野】
【０００１】
本発明は、分割コネクタに関するものである。
【背景技術】
【０００２】
特許文献１には、収容部を有するハウジング本体と、収容部に収容可能なサブコネクタとを備えた分割コネクタが開示されている。サブコネクタには、端子金具が挿入されるようになっているとともに、挿入した端子金具を抜止めするためのリテーナが設けられている。リテーナは、変形容易な肉薄のヒンジ部を介してサブコネクタに支持されており、ヒンジ部を支点として仮係止位置と本係止位置との間で揺動し得るようになっている。
【０００３】
端子金具をサブコネクタに挿入する際には、リテーナを仮係止位置へ変位させておく。端子金具をサブコネクタ内に挿入した後は、リテーナを本係止位置へ変位させると、端子金具がリテーナの係止によって抜止部止め状態に保持される。また、端子金具が半挿入状態のときには、リテーナを仮係止位置へ変位させようとしても、リテーナが端子金具と干渉するので、リテーナを本係止位置へ変位させることができない。
【０００４】
リテーナが本係止位置にある状態では、リテーナの全体がサブコネクタの内部に収容されるが、リテーナが仮係止位置にある状態では、リテーナの一部がサブコネクタの外面から突出する。したがって、リテーナが仮係止位置にある状態でサブコネクタを収容部に収容しようとすると、リテーナが収容部の開口縁と干渉する。これにより、半挿入の端子金具が存在することを検知できる。
【先行技術文献】
【特許文献】
【０００５】
【特許文献１】特開２００５−１３５６８５号公報
【発明の概要】
【発明が解決しようとする課題】
【０００６】
上記の分割コネクタでは、リテーナがヒンジ部を支点として揺動可能にサブコネクタに支持されている。そのため、仮係止位置のリテーナが収容部の開口縁と干渉したときに、仮係止位置のリテーナが、本係止位置とは反対側へ不正に揺動してしまうことが懸念される。このようになると、リテーナが仮係止位置のままであることを検知できず、ひいては、半挿入状態の端子金具の有無を検知することができなくなる。
【０００７】
本発明は上記のような事情に基づいて完成されたものであって、リテーナが仮係止位置にあることを確実に検知することを目的とする。
【課題を解決するための手段】
【０００８】
本発明の分割コネクタは、
収容部を有するハウジングと、
前記収容部に挿入可能なサブコネクタと、
前記サブコネクタに挿入される端子金具と、
前記サブコネクタに取り付けられ、仮係止位置と本係止位置との間で前記端子金具の挿入方向と交差する方向へスライド可能であり、仮係止位置では前記端子金具の挿入を許容し、本係止位置では挿入された前記端子金具に係止して前記端子金具を抜止めするリテーナと、
前記収容部の内面に形成され、前記収容部に対する前記サブコネクタの挿入方向と平行をなすガイド凹部と、
前記サブコネクタの外面に形成され、前記ガイド凹部と嵌合可能なガイド凸部と、
前記リテーナの外面に形成され、前記リテーナが仮係止位置にあるときには前記ガイド凹部と嵌合不能であり、前記リテーナが本係止位置にあるときにのみ前記ガイド凹部と嵌合可能な検知凸部とを備えているところに特徴を有する。
【発明の効果】
【０００９】
リテーナが仮係止位置にあるときには、サブコネクタを収容部に挿入する過程で、検知凸部が収容部の開口縁部と干渉し、この干渉によってリテーナが仮係止位置にあることを検知できる。リテーナは、ヒンジ部を支点として揺動するのではなく、端子金具の挿入方向と交差する方向へスライドするので、検知凸部が収容部の開口縁部と干渉しても、リテーナは仮係止位置に保たれたままである。したがって、リテーナが仮係止位置にあることを確実に検知できる。
【図面の簡単な説明】
【００１０】
【図１】実施例１の分割コネクタの背面図
【図２】ハウジングの背面図
【図３】図２のＸ−Ｘ線断面図
【図４】リテーナが本係止位置にある状態のサブコネクタの正面図
【図５】リテーナが本係止位置にある状態のサブコネクタの背面図
【図６】リテーナが本係止位置にある状態のサブコネクタの側面図
【図７】リテーナが本係止位置にある状態のサブコネクタの側断面図
【図８】リテーナが仮係止位置にある状態のサブコネクタの背面図
【図９】リテーナが仮係止位置にある状態のサブコネクタの側面図
【図１０】リテーナが仮係止位置にある状態のサブコネクタの側断面図
【発明を実施するための形態】
【００１１】
本発明の分割コネクタは、前記検知凸部は、前記リテーナが本係止位置のときに前記ガイド凸部と一直線状に並ぶように配されていてもよい。
この構成によれば、リテーナが仮係止位置と本係止位置のいずれの位置にあるかを、目視によって確認することができる。
【００１２】
本発明の分割コネクタは、前記ガイド凸部と前記検知凸部のうちの一方は、前記サブコネクタが前記収容部に対し挿入方向と平行な軸に関して左右反転した向きで挿入されようとしたときに、前記収容部の開口縁部と干渉する形態であってもよい。
この構成によれば、サブコネクタが収容部に対して左右反転した不正な向きで挿入されることを防止できる。
【００１３】
本発明の分割コネクタは、前記ガイド凹部、前記ガイド凸部及び前記検知凸部が左右両側に設けられ、前記ガイド凹部、前記ガイド凸部及び前記検知凸部の形状と寸法が左右で異なっていてもよい。
この構成によれば、サブコネクタを収容部に挿入する作業の前に、目視によってサブコネクタの向きを確認することができる。
【００１４】
＜実施例１＞
以下、本発明を具体化した実施例１を図１〜図１０を参照して説明する。尚、以下の説明において、前後の方向については、図３における右方及び図６，７，９，１０における左方を前方と定義する。上下の方向については、図１〜１０にあらわれる向きを、そのまま上方、下方と定義する。左右の方向については、図１，２，５，８にあらわれる向きを、そのまま左方、右方と定義する。本実施例１の分割コネクタは、１つのハウジング１０と、４つのサブコネクタ２０とを組み付けて構成されている。
【００１５】
＜ハウジング１０＞
ハウジング１０は、合成樹脂製であり、全体として縦長のブロック状をなす。ハウジング１０の上端部と下端部は、夫々、端子保持部１１となっている。図１〜３に示すように、ハウジング１０の上下方向における中央部は４つのサブコネクタ２０を収容するための収容部１２となっている。収容部１２の内部は、ハウジング１０の前面と後面に開放された収容空間１３となっており、収容空間１３の正面の開口形状及び背面の開口形状は略方形である。
【００１６】
収容空間１３は、その全体に亘って仕切りを有しない単一の空間である。収容部１２の左側壁部の内面には、前後方向に細長い溝状をなす４つ（つまり、収容空間１３内に収容されるサブコネクタ２０と同じ数）の左側ガイド凹部１４Ｌ（請求項に記載のガイド凹部）が、上下方向に間隔を空けて形成されている。収容部１２の右側壁部の内面には、前後方向に細長い溝状をなす４つ（つまり、収容空間１３内に収容されるサブコネクタ２０と同じ数）の右側ガイド凹部１４Ｒ（請求項に記載のガイド凹部）が、上下方向に間隔を空けて形成されている。
【００１７】
左側ガイド凹部１４Ｌ及び右側ガイド凹部１４Ｒの前後方向における形成領域は、収容空間１３（収容部１２）の前端よりも少し後方の位置から、収容空間１３（収容部１２）の後端に至る範囲である。つまり、左側ガイド凹部１４Ｌ及び右側ガイド凹部１４Ｒの前端は、収容部１２（ハウジング１０）の前端面には開放されておらず、ストッパ１５として機能する。左側ガイド凹部１４Ｌ及び右側ガイド凹部１４Ｒの後端は、収容凹部（ハウジング１０）の後端面に開放されている。
【００１８】
図１，２に示すように、４つの左側ガイド凹部１４Ｌと４つの右側ガイド凹部１４Ｒは、上下方向に関して概ね対応する位置に配されている。左側ガイド凹部１４Ｌの背面視形状は略方形であり、右側ガイド凹部１４Ｒの背面視形状も、左側ガイド凹部１４Ｌと同様、略方形である。左側ガイド凹部１４Ｌの左右方向の寸法（深さ寸法）と、右側ガイド凹部１４Ｒの左右方向の寸法（深さ寸法）は、概ね同じ寸法である。しかし、右側ガイド凹部１４Ｒの上下寸法（高さ寸法）は、左側ガイド凹部１４Ｌの上下寸法よりも小さく設定されている。
【００１９】
＜サブコネクタ２０＞
各サブコネクタ２０は、１つのコネクタ本体２１と、複数の端子金具２３と、１つのリテーナ３０とを備えて構成されている。コネクタ本体２１は、合成樹脂製であり、全体として横長のブロック状をなす。図７，１０に示すように、コネクタ本体２１の内部には複数の端子収容室２２が形成されている。各端子収容室２２内にはコネクタ本体２１の後方から雌形の端子金具２３が挿入され、挿入された端子金具２３はランス２４の係止作用によって抜止めされている。端子金具２３の下面には、段差状をなす係止部２５が形成されている。端子金具２３は、ランス２４との係止だけでなく、係止部２５にリテーナ３０を係止させることによっても、抜止めされている。端子金具２３の後端部に固着した電線（図示省略）はコネクタ本体２１の後方へ導出されている。
【００２０】
コネクタ本体２１には、コネクタ本体２１の下面に開放されているとともに、全ての端子収容室２２と連通する取り付け空間２６が形成されている。図５，８に示すように、コネクタ本体２１の左右両外側面には、一対の仮係止用係止突起２７と、一対の共用係止突起２８とが形成されている。仮係止用係止突起２７は、後述するリテーナ３０を仮係止位置に保持するための係止機能を有する。共用係止突起２８は、リテーナ３０を本係止位置に保持するための係止機能と、リテーナ３０を仮係止位置に保持するための係止機能とを有する。
【００２１】
図４〜９に示すように、コネクタ本体２１の左外側面には、リテーナ３０を挟んで前後に間隔を空けた一対の左側ガイド凸部２９Ｌ（請求項に記載のガイド凸部）が形成されている。前後一対の左側ガイド凸部２９Ｌは、前後方向（収容部１２に対するサブコネクタ２０の取り付け方向と平行な方向）に延びたリブ状をなし、上下方向において同じ高さに配されている。コネクタ本体２１の右外側面には、リテーナ３０を挟んで前後に間隔を空けた一対の右側ガイド凸部２９Ｒ（請求項に記載のガイド凸部）が形成されている。前後一対の右側ガイド凸部２９Ｒは、前後方向に延びたリブ状をなし、上下方向において同じ高さに配されている。
【００２２】
左側ガイド凸部２９Ｌの背面視形状は略方形であり、収容部１２にサブコネクタ２０を取り付ける際には、左側ガイド凸部２９Ｌが左側ガイド凹部１４Ｌに対し上下方向及び左右方向へのがたつきを生じることなく嵌合される。右側ガイド凸部２９Ｒの背面視形状は略方形であり、収容部１２にサブコネクタ２０を取り付ける際には、右側ガイド凸部２９Ｒが右側ガイド凹部１４Ｒに対し上下方向及び左右方向へのがたつきを生じることなく嵌合される。
【００２３】
＜リテーナ３０＞
リテーナ３０は、全体として左右方向に長いブロック状をなす抜止め機能部３１と、抜止め機能部３１の左右両外側面に形成した左右対称な一対の弾性係止片３３とを備えている（図５参照）。図７，１０に示すように、抜止め機能部３１には、複数の端子収容室２２に個別に挿入されている複数の端子金具２３の係止部２５に対して後方から係止可能な複数の抜止め部３２が形成されている。
【００２４】
リテーナ３０は、コネクタ本体２１の下方から抜止め機能部３１を取り付け空間２６内に挿入するようにして取り付けられている。取り付けられたリテーナ３０は、コネクタ本体２１に対し仮係止位置（図８〜１０を参照）と、仮係止位置よりも上方の本係止位置（図４〜７を参照）との間で上下方向にスライドし得るようになっている。リテーナ３０は、左右一対の弾性係止片３３が仮係止用係止突起２７と共用係止突起２８に係止することにより仮係止位置に保持される。また、左右一対の弾性係止片３３が共用係止突起２８に係止することにより、リテーナ３０が本係止位置に保持される。
【００２５】
リテーナ３０が仮係止位置にある状態では、抜止め部３２が端子収容室２２における端子金具２３の挿入経路から下方へ退避するので、端子金具２３を端子収容室２２に挿入することが可能となる。また、仮係止位置では、抜止め機能部３１の下端部が、コネクタ本体２１の下面よりも下方へ突出する。全ての端子収容室２２に端子金具２３が正規に挿入された状態では、仮係止位置のリテーナ３０を本係止位置へ移動させることができる。
【００２６】
リテーナ３０を本係止位置へ移動させると、抜止め部３２が、端子収容室２２内に進出して正規挿入されている端子金具２３の係止部２５に後方から係止する。この係止作用により、端子金具２３が抜止めされる。リテーナ３０が本係止位置にある状態では、抜止め機能部３１の全体が取り付け空間２６内に収容される。
【００２７】
いずれかの端子収容室２２において端子金具２３が正規挿入位置へ到達しない半挿入状態になっている場合は、仮係止位置のリテーナ３０を本係止位置へ移動させようとしても、抜止め部３２が端子金具２３の下面と干渉するので、リテーナ３０を本係止位置へ移動させることができない。
【００２８】
図８に示すように、リテーナ３０の左外側面には、前後方向にリブ状に延びた左側検知凸部３４Ｌ（請求項に記載の検知凸部）が形成されている。左側検知凸部３４Ｌは、リテーナ３０の前端から後端に亘って連続して形成されている。左側検知凸部３４Ｌの背面視形状は略方形である。左側検知凸部３４Ｌの左右寸法（リテーナ３０からの突出寸法）は左側ガイド凸部２９Ｌの左右寸法（コネクタ本体２１からの突出寸法）と同じ寸法であり、左側検知凸部３４Ｌの上下寸法は左側ガイド凸部２９Ｌの上下寸法と同じ寸法である。
【００２９】
リテーナ３０の右外側面には、前後方向にリブ状に延びた右側検知凸部３４Ｒ（請求項に記載の検知凸部）が形成されている。右側検知凸部３４Ｒは、リテーナ３０の前端から後端に亘って連続して形成されている。右側検知凸部３４Ｒの背面視形状は略方形である。右側検知凸部３４Ｒの左右寸法（リテーナ３０からの突出寸法）は右側ガイド凸部２９Ｒの左右寸法（コネクタ本体２１からの突出寸法）と同じ寸法であり、右側検知凸部３４Ｒの上下寸法は右側ガイド凸部２９Ｒの上下寸法と同じ寸法である。
【００３０】
リテーナ３０が本係止位置にある状態では、上下方向において、左側検知凸部３４Ｌが左側ガイド凸部２９Ｌと同じ高さとなり、右側検知凸部３４Ｒが右側ガイド凸部２９Ｒと同じ高さとなる。リテーナ３０が仮係止位置にある状態では、上下方向において、左側検知凸部３４Ｌが左側ガイド凸部２９Ｌよりも低い高さに位置し、右側検知凸部３４Ｒが右側ガイド凸部２９Ｒより低い高さに位置する。つまり、左側ガイド凸部２９Ｌと左側検知凸部３４Ｌとの間で高低差が生じ、右側ガイド凸部２９Ｒと右側検知凸部３４Ｒとの間でも高低差が生じる。
【００３１】
＜実施例１の作用及び効果＞
本実施例１の分割コネクタの組付けに際しては、まず、サブコネクタ２０において端子金具２３をコネクタ本体２１に挿入する。端子金具２３を挿入する際には、予め、リテーナ３０をコネクタ本体２１に対して仮係止位置に取り付けておく。全ての端子金具２３の挿入作業が終了したら、リテーナ３０を本係止位置へ押し込む。
【００３２】
サブコネクタ２０の組付け工程において、いずれかの端子収容室２２に半挿入状態の端子金具２３が存在している場合は、リテーナ３０を本係止位置へ押し込むことができない。したがって、リテーナ３０を本係止位置へ押し込むことができるか否かにもとづいて、端子金具２３の挿入状態（半挿入状態の端子金具２３の有無）を検知することができる。以上により、サブコネクタ２０の組付けが完了する。
【００３３】
組み付けられたサブコネクタ２０は、ハウジング１０の後方から収容空間１３（収容部１２）内に取り付けられる。取り付ける際には、左側ガイド凸部２９Ｌと左側検知凸部３４Ｌが左側ガイド凹部１４Ｌに嵌合されるとともに、右側ガイド凸部２９Ｒと右側検知凸部３４Ｒが右側ガイド凹部１４Ｒに嵌合される。これらの嵌合により、サブコネクタ２０が、ハウジング１０に対し上下方向及び左右方向に位置決めされる。サブコネクタ２０が収容空間１３内に正しく取り付けられると、前側の左右両ガイド凸部２９Ｌ，２９Ｒの前端が左右両ガイド凹部１４Ｌ，１４Ｒのストッパ１５に突き当たることにより、サブコネクタ２０が前止まりされる。
【００３４】
サブコネクタ２０の組付け工程において、仮係止位置のリテーナ３０を本係止位置へ移動させる作業がなされなかった場合は、リテーナ３０の左右両検知凸部３４Ｌ，３４Ｒが左右両ガイド凸部２９Ｌ，２９Ｒよりも下方に位置ずれしたままとになる。この状態で、サブコネクタ２０を収容部１２に取り付けようとすると、取付けの初期には前側の左右両ガイド凸部２９Ｌ，２９Ｒが左右両ガイド凹部に嵌入される。しかし、その後、ガイド凸部２９Ｌ，２９Ｒ及びガイド凹部１４Ｌ，１４Ｒに対して相対的に下方に位置ずれしている検知凸部３４Ｌ，３４Ｒが、収容部１２の左右両側壁部の後面に突き当たる。したがって、サブコネクタ２０を収容部１２に取り付けることができず、これにより、リテーナ３０が仮係止位置にあることが判る。
【００３５】
本実施例１の分割コネクタは、収容部１２を有するハウジング１０と、収容部１２に挿入可能なサブコネクタ２０と、サブコネクタ２０のコネクタ本体２１に挿入される端子金具２３と、コネクタ本体２１に取り付けられるリテーナ３０とを備えている。リテーナ３０は、仮係止位置と本係止位置との間で端子金具２３の挿入方向（前後方向）と交差する方向（上下方向）へスライド可能である。リテーナ３０は、仮係止位置では端子金具２３の挿入を許容し、本係止位置では挿入された端子金具２３に係止して端子金具２３を抜止めする。
【００３６】
収容部１２の内面には、収容部１２に対するサブコネクタ２０の挿入方向と平行をなす左側ガイド凹部１４Ｌと右側ガイド凹部１４Ｒが形成されている。サブコネクタ２０の外面には、収容部１２への挿入過程で左側ガイド凹部１４Ｌと右側ガイド凹部１４Ｒに対し嵌合可能な左側ガイド凸部２９Ｌと右側ガイド凸部２９Ｒとが形成されている。リテーナ３０の外面には、左側検知凸部３４Ｌと右側検知凸部３４Ｒが形成されている。リテーナ３０が仮係止位置にあるときには、左右両検知凸部３４Ｌ，３４Ｒが、夫々、左側ガイド凹部１４Ｌ及び右側ガイド凹部１４Ｒと嵌合不能である。左右両検知凸部３４Ｌ，３４Ｒは、リテーナ３０が本係止位置にあるときにのみ、左右のガイド凹部１４Ｌ，３４Ｒと嵌合可能となっている。
【００３７】
リテーナ３０が仮係止位置にあるときには、サブコネクタ２０を収容部１２に挿入する過程で、左右両検知凸部３４Ｌ，３４Ｒが収容部１２の後面側の開口縁部と干渉し、この干渉によってリテーナ３０が仮係止位置にあることを検知できる。リテーナ３０は、ヒンジ部を支点として揺動するのではなく、端子金具２３の挿入方向と交差する方向へスライドするので、左右両検知凸部３４Ｌ，３４Ｒが収容部１２の開口縁部と干渉しても、リテーナ３０は仮係止位置に保たれたままである。したがって、リテーナ３０が仮係止位置にあることを確実に検知できる。
【００３８】
また、左右両検知凸部３４Ｌ，３４Ｒは、リテーナ３０が本係止位置のときに左右両ガイド凸部２９Ｌ，２９Ｒと一直線状に並ぶように配されている。この構成によれば、リテーナ３０が仮係止位置と本係止位置のいずれの位置にあるかを、目視によって確認することができる。
【００３９】
また、サブコネクタ２０が収容部１２に対し挿入方向と平行な軸に関して左右反転した向きで挿入されようとしたときには、右側ガイド凸部２９Ｒ及び右側ガイド凹部１４Ｒより上下寸法の大きい左側ガイド凸部２９Ｌが、右側ガイド凹部１４Ｒに嵌入できず、収容部１２の開口縁部と干渉するようになっている。この構成によれば、サブコネクタ２０が収容部１２に対して左右反転した不正な向きで挿入されることを防止できる。
【００４０】
また、ガイド凹部１４Ｌ，１４Ｒ、ガイド凸部２９Ｌ，２９Ｒ及び検知凸部３４Ｌ，３４Ｒは、夫々、左右両側に設けられていて、左側ガイド凹部１４Ｌの形状と寸法は右側ガイド凹部１４Ｒと異なっており、左側ガイド凸部２９Ｌの形状と寸法は右側ガイド凸部２９Ｒと異なっており、左側検知凸部３４Ｌの形状と寸法は右側検知凸部３４Ｒと異なっている。この構成によれば、サブコネクタ２０を収容部１２に挿入する作業の前に、目視によってサブコネクタ２０の向きを確認することができる。
【００４１】
＜他の実施例＞
本発明は上記記述及び図面によって説明した実施例に限定されるものではなく、例えば次のような実施例も本発明の技術的範囲に含まれる。
（１）上記実施例では、リテーナが本係止位置のときに検知凸部がガイド凸部と一直線状に並ぶようにしたが、リテーナが本係止位置のときに検知凸部がガイド凸部に対して位置ずれしてしてもよい。
（２）上記実施例では、ガイド凹部、ガイド凸部及び検知凸部を、左右両側に１つずつ設けたが、ガイド凹部、ガイド凸部及び検知凸部は、左右両側に複数ずつ設けてもよく、左右いずれか一方に１つずつ設けるとともに他方に複数ずつ設けてもよい。また、ガイド凹部とガイド凸部が複数ずつ設けられている場合、検知凸部の数は１つだけでもよく、ガイド凹部及びガイド凸部より少ない数であってもよい。
（３）上記実施例では、サブコネクタが収容部の反転して挿入されるのを規制する手段として、ガイド凹部、ガイド凸部及び検知凸部の形状と寸法が、左右で異なるようにしたが、これら限らず、ガイド凹部、ガイド凸部及び検知凸部の配置や数が左右で異なるようにしてもよい。
（４）上記実施例では、１つの収容部に４つのサブコネクタを収容したが、１つの収容部に収容するサブコネクタの数は、３つ以下でもよく、５つ以上でもよい。
（５）上記実施例では、収容部の内部（収容空間）が仕切のない単一の空間であるが、収容部に隣り合うサブコネクタを仕切る仕切壁を設けてもよい。
（６）上記実施例では、サブコネクタを左右反転させて収容部に挿入しようとしたときに、ガイド凸部が収容部の開口縁部と干渉するようにしたが、これに限らず、サブコネクタを左右反転させて収容部に挿入しようとしたときに、検知凸部が収容部の開口縁部と干渉するようにしてもよい。
【符号の説明】
【００４２】
１０…ハウジング
１２…収容部
１４Ｌ…左側ガイド凹部（ガイド凹部）
１４Ｒ…右側ガイド凹部（ガイド凹部）
２０…サブコネクタ
２３…端子金具
２９Ｌ…左側ガイド凸部（ガイド凸部）
２９Ｒ…右側ガイド凸部（ガイド凸部）
３０…リテーナ
３４Ｌ…左側検知凸部（検知凸部）
３４Ｒ…右側検知凸部（検知凸部）
【図１】
2018032570.tif 000003
【図２】
2018032570.tif 000004
【図３】
2018032570.tif 000005
【図４】
2018032570.tif 000006
【図５】
2018032570.tif 000007
【図６】
2018032570.tif 000008
【図７】
2018032570.tif 000009
【図８】
2018032570.tif 000010
【図９】
2018032570.tif 000011
【図１０】
2018032570.tif 000012